(57)【要約】    【課題】調理中に起きる台所の調理火災に対し確実に消火ができる取扱いが容易でコスト的に安価な消火装置を提供する。    【解決手段】  消火装置１は、レンジ１７の上方に設置され、内部に折畳み状態でパラシュート８を収納しており、火災時には折り畳み状態で収納されているパラシュート８を火源に向けて放出して開き、火源をパラシュート８で覆って火災を抑制消火する。パラシュート８は、バネ性をもつ変形自在な骨組みと、骨組みによりドーム状に展開される防水布を備える。パラシュート８は、温度センサによる調理鍋３４の油温度が発火温度を越えたとき放出される。    【選択図】      図８
2005323811.tif 000002
【特許請求の範囲】
【請求項１】
監視対象領域の上方に設置される本体と、
前記本体内に折り畳み状態で収納され、外部に放出された際に開いて前記監視対象領域を覆うパラシュートと、
前記本体内に折り畳み状態で収納されている前記パラシュートを前記監視対象領域に向けて放出する放出機構と、
を備えたことを特徴とする消火装置。
【請求項２】
請求項１記載の消火装置に於いて、前記パラシュートは、バネ性をもつ変形自在な骨組みと、前記骨組みによりドーム状に展開される防火布を備えたことを特徴とする消火装置。
【請求項３】
請求項１記載の消火装置に於いて、前記放出機構はセンサにより監視部位の温度が所定温度に達した時、スプリングで付勢されているアクチュエータの係止を解除して折り畳み状態で収納されている前記パラシュートを放出することを特徴とする消火装置。
【請求項４】
請求項３記載の消火装置に於いて、前記センサは、本体から信号線を介して引き出されて監視対象領域の温度を検出することを特徴とする消火装置。
【請求項５】
請求項１記載の消火装置に於いて、前記放出機構は、電気的又は機械的な起動操作に基づいて、スプリングで付勢されているアクチュエータの係止を解除して折り畳み状態で収納されている前記パラシュートを放出することを特徴とする消火装置。
【請求項６】
請求項１記載の消火装置に於いて、更に、前記パラシュートに可撓性チューブを介して接続され、前記パラシュートを火源に向けて放出して展開させた状態でパラシュート内に消火剤を噴射して消火させる消火剤放出部を前記本体に設けたことを特徴とする消火装置。
【請求項７】
請求項１乃至６のいずれかに記載の消火装置に於いて、更に、前記パラシュートに前記監視対象領域の温度を表示する温度表示部を設けたことを特徴とする消火装置。
【発明の詳細な説明】
【技術分野】
【０００１】
本発明は、てんぷら油の加熱等による台所の油火災を消火する住宅用の消火装置に関する。
【背景技術】
【０００２】
従来、住宅用の消火装置としては、居室の火災を想定したスプリンクラー消火設備、厨房の火災を想定したレンジフード消火装置、消火器等が商品化されている。例えば、スプリンクラー消火設備の場合、レンジの天井部に設置したスプリンクラーヘッドの感熱作動によって水道に接続された消火水が自動的に放出される。またレンジフード消火装置の場合は、コンロ上部のレンジフード内に設置した感熱部が溶解して自助的に消火剤が放出される。
【特許文献１】特開平８−１０７９４２号公報
【特許文献２】特開平１１−２２１２９７号公報
【特許文献３】特開平５−１４６５２２号公報
【特許文献４】特開２００２−２９１９２４号公報
【特許文献５】実開平５−７２５２号公報
【発明の開示】
【発明が解決しようとする課題】
【０００３】
しかしながら、このような従来の消火装置にあっては次のような問題がある。まずスプリンクラー消火設備は、コストが高く広く普及することが難しく、基本的には新築住宅に対しての設備であり、既存住宅に設置することが大変難しい。また、一度放出されると大きな水損が避けられない。更に、住宅内の改装、レイアウト変更に対して、ヘッド配置の変更との適切な対策が立てにくい。
【０００４】
またレンジフード消火設備は、消火剤の保存量に限界があるため、消火できない場合のリスクがある。更に、消火器の場合には、一人が操作するため、熟練度、訓練による慣れが必要があり、人がいても確実に消せるかの保証がない。
【０００５】
本発明は、調理中に起きる台所の調理火災に対し確実に消火ができる取扱いが容易でコスト的に安価な消火装置を提供することを目的とする。
【課題を解決するための手段】
【０００６】
この目的を達成するため本発明は次のように構成する。本発明の消火装置は、監視対象領域の上方に設置される本体と、本体内に折り畳み状態で収納され、外部に放出された際に開いて監視対象領域を覆うパラシュートと、本体から折り畳み状態で収納されているパラシュートを監視対象領域に向けて放出する放出機構とを備えたことを特徴とする。
【０００７】
ここで、パラシュートは、バネ性をもつ変形自在な骨組みと、骨組みによりドーム状に展開される防火布を備える。
【０００８】
放出機構はセンサにより監視部位の温度が所定温度に達した時、スプリングで付勢されているアクチュエータの係止を解除して折り畳み状態で収納されているパラシュートを放出する。センサは本体に付設されており、監視領域の温度を監視し、検出する。例えば、本体から信号線を介して引き出されて監視対象領域、例えば天ぷら鍋の油の温度を検出する。この温度を有効利用するために、本体に設けた温度表示部に現在の温度を表示するようにしても良い。
【０００９】
放出機構は、電気的又は機械的な起動操作に基づいて、スプリングで付勢されているアクチュエータの係止を解除して折り畳み状態で収納されているパラシュートを放出するようにしても良い。また、パラシュートに温度表示部を設けて、パラシュート内部の温度を表示して火災が鎮火したかを判断できるようにようにしても良い。
【００１０】
本発明の消火装置は、更に、パラシュートに可撓性チューブを介して接続され、パラシュートを火源に向けて放出して展開させた状態でパラシュート内に消火剤を噴射して消火させる消火剤放出部を本体に設けるようにしても良い。
【発明の効果】
【００１１】
本発明によれば、消火装置本体を例えば台所のレンジ上方でレンジフードの下となる壁面に設置しておくことで、調理中に天ぷら油に引火して燃え上がったような場合、センサにより油温度が発火温度を越えたことを検知して本体内に折り畳み状態で収納している防火布製のパラシュートをレンジに向けてバネの力等により放出して展開し、引火した天ぷら鍋を覆うことにより酸素の供給を遮断し、火災を抑制し、更には窒息消火を可能とする。
【００１２】
また天ぷら油の引火で燃え上がった炎を放出して開いたパラシュートで覆うことで炎を押さえ込むことから、炎に妨げられることなく、安全にガスを止めることができる。
【００１３】
また折り畳み状態で収納しているパラシュートをバネ力等により本体から放出して開かせるという比較的簡単な構造であり、コスト的に安価であり、軽量であることから、両面テープ等により簡単に設置したり、設置場所を変更することができる。
【００１４】
更に、放出して開いたパラシュートは、折り畳んで本体に収納することで、繰り返し使用することができ、このため利用者が試験的にパラシュートを放出して開かせることで、作動確認を簡単に行うこと等もできる。
【００１５】
以上を含めて本発明の効果を列挙すると次のようになる。
（１）固定設備ではないため、設置が簡単でしかも購入した一般消費者自らが設置可能である。
（２）炎を覆い隠すため、安全性が確保できる。
（３）窒息消火が可能となり、消火剤が全く必要なくなる。
（４）消火剤を放出した場合は、さらに確実に短時間で消火が可能となる。
（５）消火剤放出の場合は、窒息との複合消火となること、外へ逃げることがなく炎に有効に掛かるため、少量で済む。なお、消火剤は、ガス、水、泡、粉末、エアロゾルなど目的に応じて選択することができる。
（６）酸素供給を制限するため，消火後の再着火がしにくい。
（７）センサを設けた場合は自動消火が可能である。
（８）消火剤にエアロゾル、ガスを使う場合は、パラシュートを広げる為の膨張剤と兼用することができる。
（９）パラシュートは膨張式とするため、コンパクトに収納することができる。
（１０）パラシュートの材料は耐火シートにすることによって、自らが着火することを防止できる。
【発明を実施するための最良の形態】
【００１６】
図１は本発明による消火装置の説明図であり、図１（Ａ）に正面図を図１（Ｂ）に底面図を図１（Ｃ）に側面図を示している。
【００１７】
図１において、本発明の消火装置１は本体２を有し、本体２の正面左側に温度表示部３を設けている。温度表示部３の側面にはＶ字型に形成されたセンサ取付部材４の先端に温度センサ５を装着しており、センサ取付部材４は本体２からコードを介して引き出され、監視対象となる例えば調理鍋にセットして油の温度を測定するために使用する。
【００１８】
図２は本発明の消火装置の内部構造の説明図である。図２において、消火装置１の本体２における正面右側にはヒンジ２８により開閉自在な扉６が設けられており、扉６の背後にパラシュート収納部７を形成している。
【００１９】
パラシュート収納部７には折畳み状態でパラシュート８が収納され、パラシュート８の収納位置の背後にヒンジ２７により回動する押出プレート９を配置している。押出プレート９は押出バネ１０により開方向に付設されており、通常時は左側に設けたソレノイド１１の駆動軸となるラッチ１２により係止されている。
【００２０】
パラシュート収納部７の左側の本体２側にはソレノイド１１、制御部１３、電池１４及びコードリール１５が収納されている。コードリール１５には先端に温度センサ５（図１参照）を装着したセンサ取付部材４のコードが巻き込まれており、センサ取付部材４を引き出すことでコードリール１５からコードが巻き出され、センサ取付部材４を戻せばコードリール１５にコードが巻き取られるようにしている。
【００２１】
制御部１３は電池１４により電源電圧を受けて動作し、センサ取付部材４側に設けている温度センサ５による検出温度を予め定めた油の発火点温度と比較し、発火点温度を越えた時にソレノイド１１を作動し、ラッチ１２による押出プレート９の係止を解除し、押出バネ１０により押出プレート９を９ａのように押出回動し、パラシュート８を扉６の開放と同時に前方に放出する。
【００２２】
制御部１３による油温度の監視は、例えば２００℃でプリアラームを出し、油の発火点である３６０℃〜３８０℃の範囲に定めた発火点温度を超えるとソレノイド１１を作動してパラシュート８を放出させる。
【００２３】
図３は図１の消火装置１における温度センサ５の使用状態の説明図である。図３において、本発明の消火装置１はレンジ１７の上方に設置されている。いまレンジ１７のコンロ２４上には油３３を入れた調理鍋３４がかけられており、加熱処理が行なわれている。
【００２４】
このような調理の際に消火装置１に設けているセンサ取付部材４を引き出しコード１６を伸ばし、調理鍋３４の開口部にセンサ取付部材４を下向きにセットし、先端の温度センサ５を油３３の中にいれる。
【００２５】
これによって調理鍋３４の油３３の温度が温度センサ５により検出され、消火装置１の温度表示部３に油３３の温度を表示することができ、同時に温度センサ５による検出温度が２００℃に達すると警報が行われ、３６０〜３８０℃の範囲内の発火点温度を超えるとパラシュート放出が行なわれることになる。
【００２６】
図４は本発明で使用するパラシュートの展開状態の説明図である。図４において、パラシュート８は例えば矩形状の防火布１８を使用しており、防火布１８の対角線方向にバネ性のワイヤなどを使用した骨組バネ１９を交差して２本配置することで下側に開いたドーム形状を展開状態で形成している。
【００２７】
また防火布１８のドーム状の頭頂部には骨組バネ１９に対し４５°ずれた位置で交差する状態に２本の展開板バネ２０が配置され、展開板バネ２０のフラットとなるためのバネ力により防火布１８を下方に開いたドーム状に展開させている。
【００２８】
このようなパラシュート８は骨組バネ１９及び展開板バネ２０が可撓性を持っていることから防火布１８を小さく折畳むことができ、折畳んだ状態で図２のように本体２のパラシュート収納部７に収納して扉６を閉じる。パラシュート８の折畳み状態はパラシュート収納部７に対する扉６の閉鎖により維持されている。
【００２９】
パラシュート８は図２のパラシュート収納部７における収納状態で伸展しようとしてその周囲を押圧するが、図４における骨組バネ１９や展開板バネ２０の押圧方向を扉６側を避けるように折畳んで収納しておけば、扉６はごく軽いフリクションで閉じるだけでよい。
【００３０】
図５は本発明で使用するパラシュートの他の実施形態である。図５において、パラシュート８の基本構造は図４の実施形態と同様、防火布１８に骨組バネ１９及び展開板バネ２０を設けることにより下側に開いたドーム状の展開形状を持っているが、この実施形態にあっては更に骨組バネ１９の先端４箇所に重り２１を設けたことを特徴とする。
【００３１】
このように骨組バネ１９の先端に重り２１を設けておくことで、折畳み状態からパラシュート８を放出して展開した際に、重り２１の重量によって常にドーム状の開口部を下向きに火源に対しパラシュート８を放出することができる。尚、図４及び図５におけるパラシュート８における展開板バネ２０としては板バネ以外に形状記憶合金を使用し、火元からの炎による熱を受けて記憶形状となる図示の展開状態に開くようにさせても良い。
【００３２】
図６は本発明による消火装置の使用状態の説明図である。図６は台所の一例であり、レンジ１７が設置され、その上部にレンジフード２３が設置されている。本発明の消火装置１はレンジ１７を消火対象領域としてレンジフード２３の下側の壁面に設置される。本発明の消火装置１の壁面に対する取り付けは装置の大きさに比べ軽量であることから両面テープなどを使用して簡単に取り付けるだけでよい。
【００３３】
レンジ１７におけるコンロ２４を使用して油３３を入れた調理鍋３４により調理を行なう場合には、消火装置１に設けている温度センサ付のセンサ取付部材４を引き降ろし、調理鍋３４のふちに形合し、先端の温度センサを油３３の中にいれた状態とする。この状態でコンロ２４に点火し調理を行なう。調理中にあっては調理鍋３４にセットしている温度センサにより油３３の温度が検出され、消火装置１の温度表示部３に油の温度が表示される。このため本発明の消火装置１は消火装置本来としての機能以外に温度を表示することができ、これによって例えばてんぷら調理などにおいて最適な調理温度の調整などができる。
【００３４】
図７は調理中に油に引火し、これを検知してパラシュートを放出した本発明の消火装置の説明図である。図７において、調理中に調理鍋３４の油３３が過熱しすぎとなり、３６０〜３８０℃の発火点を超えると油３３に引火して炎２５が燃え上がる。このとき消火装置１は温度センサによる検出温度から設定した発火点温度を超えたことを判別し、図２に示した制御部１３によるソレノイド１１の作動でラッチ１２による押出プレート９の係止が解除され、押出バネ１０の力で押出プレート９がヒンジ２７を中心に外側に開動し、パラシュート８を押出すことで扉６を開放するとともにパラシュート８を図７のようにレンジ１７に向けて放出する。
【００３５】
図８は図７に続いて放出したパラシュートを開いて火源を覆った状態の説明図である。図７のように消火装置１から折畳み状態にあるパラシュート８が放出されると、パラシュート８の拘束状態が解除され、図４に示した骨組バネ１９及び展開板バネ２０の復元力によりパラシュート８の防火布１８は下向きに開いたドーム状に展開しながらレンジ１７を覆って落下する。
【００３６】
このため油が着火して炎２５が燃え上がっている調理鍋３４は展開したパラシュート８により覆われることとなり、周囲からの酸素の供給が低下することで急速に炎２５が小さくなり、パラシュート８内は炎２５による煙が充満することから酸素がほとんどなくなって窒息消火に至る。
【００３７】
また調理鍋３４が発火した際に近くに人がいた場合、パラシュート８の放出で調理鍋３４をのせたレンジ１７が完全に覆われて炎２５をパラシュート８内に封じ込めるため、炎２５の熱を受けることなく速やかにレンジ１７によってコンロ２４の火を止めることもできる。
【００３８】
尚、コンロ２４として都市ガスを使用していた場合、放出したパラシュート８を展開して覆うことによる窒息消火に伴い、コンロ２４の火も立ち消えとなってガスが漏洩することが懸念される。しかしながら、現在のガスコンロにあってはガスの立ち消えに対し漏洩防止対策がとられていることから、必ずしもパラシュート８を放出した後にガス栓を閉める必要はない。
【００３９】
ただし、ガスの立ち消えによるガス漏洩が心配される場合には、本発明の消火装置１からマイコン制御のガス漏れ遮断器に遮断制御信号を電気的に送ってガス遮断させるか、更に本発明の消火装置１により制御可能な緊急遮断弁をガス栓とコンロの間に設けることでパラシュート８を放出して消火した際のガス供給を止めることで、ガス漏れによる２次災害を防止できる。
【００４０】
これに対しコンロ２４が電気コンロであった場合には、ガスコンロにおける消火時のガス漏洩の問題はなく、本発明による消火装置１によるパラシュート８の放出により確実に消火できる。
【００４１】
図９は本発明の消火装置の他の実施形態を示した内部構成の説明図であり、この実施形態にあっては本体そのものに火災を検出するセンサを設けたことを特徴とする。図９において、消火装置１の構造は図２の実施形態と基本的に同じであるが、図２の実施形態における温度センサを先端に備えたセンサ取付部材４及びコードリール１５が設けられておらず、制御部１３に下部の監視対象領域の温度を検出するセンサ２６を設けるようにしている。
【００４２】
センサ２６としては温度センサを使用してもよく、この場合には温度表示器３を設けて検出温度を表示できるようにしている。またセンサ２６としては温度センサ以外に火災による炎を検出する炎センサや火災による熱を検出する熱センサ、さらには火災による煙を検出する煙センサなどを設けるようにしてもよい。
【００４３】
図１０は本発明の消火装置の他の実施形態を示した内部構造の説明図であり、この実施形態にあっては消火剤放出部を備えたことを特徴とする。図１０において、この実施形態の消火装置１における本体２の内部構造は基本的に図９の内部構造と同じであるが、これに加えて本体２の右側に消火剤ボンベ２９を設け、消火剤ボンベ２９は制御部１３からの信号により開放される起動弁３０を備えており、起動弁３０の取り出し口からチューブ３１を引き出して先端をパラシュート８の展開状態でドーム状の頭頂部となる位置に連結しており、これを図示のように折畳んで状態でパラシュート収納部７に収納している。
【００４４】
図１１は図１０の実施形態の作動状態の説明図である。図１１において、レンジ１７の調理鍋３４の油が加熱して着火による炎２５が検出されると、消火装置１からパラシュート８が放出され、展開しながら落下してレンジ１７を覆う。
【００４５】
パラシュート８には図１０の消火剤ボンベ２９からのチューブ３１が連結されており、パラシュート８の放出に連動して消火剤ボンベ２９に設けている起動弁３０が開放されることで、レンジ１７に展開して落下したパラシュート８の内部にチューブ３１を通って消火剤３２が放出され、調理鍋３４の炎２５の冷却、窒息、連鎖反応の停止などによって確実に短時間で消火することができる。
【００４６】
図１０の消火剤ボンベ２９によって展開して落下したパラシュート８内に放出する消火剤としては、ガス、水、泡、粉末、エアロゾルなど目的に応じて適宜の消火剤を選択することができる。このうち消火剤にエアロゾルやガスを使う場合にはパラシュート８を展開させるための膨張剤として兼用することができる。
【００４７】
尚、上記の実施形態にあっては温度センサなどによるセンサの検出信号に基づいてパラシュートを放出する場合を例にとるものであったが、他の実施形態として消火装置１に電気的、または機械的にパラシュートを放出させる操作部を設け、手動動作によりパラシュートを放出させても良い。
【００４８】
例えば図２、図９、図１０の実施形態にあっては電池１４を電源として使用し、ソレノイド１１の作動でラッチを解除してパラシュート８を放出させていることから、これに加えて起動スイッチを設ければよい。起動スイッチは消火装置１の本体２に設けてもよいし、コードで操作スイッチを引き出して近くに設置するようにしても良い。
【００４９】
また電源は電池に限らず,商用電源を使用しても良い。また、パラシュート８の表面に、パラシュート８内の温度を表示する温度表示部を設けても良い。温度表示部としては、例えば,温度によって色が変わるシートをパラシュート８の表面に貼り付ける。これにより鎮火を確認できると共に、パラシュート８に触れて火傷をすることがない。
【００５０】
また機械的なパラシュートの放出操作としては図２、図９及び図１０におけるソレノイド１１に代えて引き紐などによりラッチ１２を作動するラッチ機構を設け、このラッチ機構を作動させることで手動でラッチ解除させてもよい。手動操作とした場合にはソレノイド１１、制御部１３、電池１４、温度表示部３などは不要であり、この場合、本発明の消火装置は機械的な起動構造のみとすることができる。
【００５１】
また上記の実施形態はレンジの上方にレンジフードを設置している場合を例にとっているが、レンジフードがないような場合には直接天井部に本発明の消火装置１を設置してもよい。
【００５２】
また上記の実施形態は台所での設置を例にとるものであったが、本発明はこれに限定されず石油ストーブや灰皿など火元となる機器を対象に自由に設置することができる。
【図面の簡単な説明】
【００５３】
【図１】本発明の消火装置の説明図
【図２】本発明の消火装置の内部構造を示した説明図
【図３】本発明の消火装置における温度センサの使用状態の説明図
【図４】本発明で使用するパラシュートの展開状態の説明図
【図５】本発明で使用するパラシュートの他の実施形態の説明図
【図６】本発明の消火装置の使用状態の説明図
【図７】油火災を検知してパラシュートを放出した本発明の消火装置の説明図
【図８】図７に続いて放出したパラシュートを開いて火源を覆った状態の説明図
【図９】センサを本体に備えた本発明の消火装置の他の実施形態を示した内部構造の説明図
【図１０】消火剤放出部を備えた本発明の消火装置の実施形態を示した内部構造の説明図
【図１１】図１０の消火装置の作動状態の説明図
【符号の説明】
【００５４】
１：消火装置
２：本体
３：温度表示部
４：センサ取付部材
５：温度センサ
６：扉
７：パラシュート収納部
８：パラシュート
９：押出プレート
１０：押出バネ
１１：ソレノイド
１２：ラッチ
１３：制御部
１４：電池
１５：コードリール
１６：コード
１７：レンジ
１８：防火布
１９：骨組バネ
２０：展開板バネ
２１：重り
２３：レンジフード
２４：コンロ
２５：炎
２６：センサ
２７，２８：ヒンジ
２９：消火剤ボンベ
３０：起動弁
３１：チューブ
３２：消火剤
３３：油
３４：調理鍋
【図１】
2005323811.tif 000003
【図２】
2005323811.tif 000004
【図３】
2005323811.tif 000005
【図４】
2005323811.tif 000006
【図５】
2005323811.tif 000007
【図６】
2005323811.tif 000008
【図７】
2005323811.tif 000009
【図８】
2005323811.tif 000010
【図９】
2005323811.tif 000011
【図１０】
2005323811.tif 000012
【図１１】
2005323811.tif 000013